(57)【要約】  【課題】手軽に、手書きで作成した絵画あるいは文字のフレーム画像のディジタルデータを作成すること、およびこのフレーム画像のディジタルデータと写真画像等の印刷対象画像とを合成して、この合成画像を印刷すること。  【解決手段】ディジタルデータ作成装置１０は、読取媒体に描かれた絵画および／または文字と、読取媒体に設けられた光透過部の領域とを読み取るスキャナ１２等から構成される読取部と、読取部によって読み取られた絵画および／または文字をディジタルデータに変換すると共に、光透過部の領域に対して透明化処理を施すデータ処理部６０と、を有する。さらに、光源４０を有し、読取部は、読取媒体の光源４０側とは反対側から光透過部を遮蔽する光反射体によって光を反射させて、光透過部の領域を読み取っても良い。【選択図】図２
2005311779.tif 000002
【特許請求の範囲】
【請求項１】
読取媒体に描かれた絵画および／または文字と、上記読取媒体に設けられた光透過部の
領域とを読み取る読取部と、
上記読取部によって読み取られた上記絵画および／または文字をディジタルデータに変
換すると共に、上記光透過部の領域に対して透明化処理を施すデータ処理部と、
を有することを特徴とするディジタルデータ作成装置。
【請求項２】
光源を有し、
前記読取部は、前記読取媒体の上記光源側とは反対側から前記光透過部を遮蔽する光反
射体によって光を反射させて、前記光透過部の領域を読み取ることを特徴とする請求項１
記載のディジタルデータ作成装置。
【請求項３】
読取媒体に描かれた絵画および／または文字と、上記読取媒体の一部を覆った光反射体
の領域とを読み取る読取部と、
上記読取部によって読み取られた上記絵画および／または文字をディジタルデータに変
換すると共に、上記光反射体の領域に対して透明化処理を施すデータ処理部と、
を有することを特徴とするディジタルデータ作成装置。
【請求項４】
基台と、上記基台を覆うことが可能で、上記基台との対向面の少なくとも一部に光反射
体を有するカバー体と、を備え、読取媒体が上記基台に載置されると共に、上記基台が上
記カバー体に覆われた状態で、上記読取媒体に描かれた絵画および／または文字と、上記
光反射体の所定の領域とを読み取る読取部と、
上記読取部によって読み取られた上記絵画および／または文字をディジタルデータに変
換すると共に、上記光反射体の所定の領域に対して透明化処理を施すデータ処理部と、
を有することを特徴とするディジタルデータ作成装置。
【請求項５】
前記データ処理部は、前記読取媒体に設けられた孔部を前記所定の領域として、透明化
処理を施すことを特徴とする請求項４記載のディジタルデータ作成装置。
【請求項６】
前記データ処理部によって透明化処理を施されたディジタルデータを記録する記録部を
有することを特徴とする請求項１から５のいずれか１項記載のディジタルデータ作成装置
。
【請求項７】
読取媒体に描かれた絵画および／または文字と、上記読取媒体に設けられた光透過部の
領域とを読み取る読取部と、
上記読取部によって読み取られた上記絵画および／または文字をディジタルデータに変
換すると共に、上記光透過部の領域に対して透明化処理を施すデータ処理部と、
前記ディジタルデータに変換された絵画および／または文字と、印刷対象となるディジ
タルデータと、を合成するデータ合成部と、
上記データ合成部によって合成された合成データに基づいて印刷媒体に印刷する印刷部
と、
を有することを特徴とする印刷装置。
【請求項８】
前記印刷対象となるディジタルデータを入力する入力部を有することを特徴とする請求
項７記載の印刷装置。
【請求項９】
画像を前記読取部から読み取り、前記データ処理部は、前記読取部から読み取られた上
記画像を、前記印刷対象となるディジタルデータに変換することを特徴とする請求項７記
載の印刷装置。
【請求項１０】
読取媒体に描かれた絵画および／または文字と、上記読取媒体の一部を覆った光反射体
の領域とを読み取る読取部と、
上記読取部によって読み取られた上記絵画および／または文字をディジタルデータに変
換すると共に、上記光反射体の領域に対して透明化処理を施すデータ処理部と、
上記ディジタルデータに変換された絵画および／または文字と、印刷対象となるディジ
タルデータと、を合成するデータ合成部と、
上記データ合成部によって合成された合成データに基づいて印刷媒体に印刷する印刷部
と、
を有することを特徴とする印刷装置。
【請求項１１】
基台と、上記基台を覆うことが可能で、上記基台との対向面の少なくとも一部に光反射
体を有するカバー体と、を備え、読取媒体が上記基台に載置されると共に、上記基台が上
記カバー体に覆われた状態で、上記読取媒体に描かれた絵画および／または文字と、上記
光反射体の所定の領域とを読み取る読取部と、
上記読取部によって読み取られた上記絵画および／または文字をディジタルデータに変
換すると共に、上記光反射体の所定の領域に対して透明化処理を施すデータ処理部と、
上記ディジタルデータに変換された絵画および／または文字と、印刷対象となるディジ
タルデータと、を合成するデータ合成部と、
上記データ合成部によって合成された合成データに基づいて印刷媒体に印刷する印刷部
と、
を有することを特徴とする印刷装置。
【請求項１２】
読取媒体に描かれた絵画および／または文字と、上記読取媒体に設けられた光透過部の
領域とを読み取る読取ステップと、
上記読取ステップによって読み取られた上記絵画および／または文字をディジタルデー
タに変換すると共に、上記光透過部の領域に対して透明化処理を施すデータ処理ステップ
と、
を有することを特徴とするディジタルデータ作成方法。
【請求項１３】
読取媒体に描かれた絵画および／または文字と、上記読取媒体の一部を覆った光反射体
の領域とを読み取る読取ステップと、
上記読取ステップによって読み取られた上記絵画および／または文字をディジタルデー
タに変換すると共に、上記光反射体の領域に対して透明化処理を施すデータ処理ステップ
と、
を有することを特徴とするディジタルデータ作成方法。
【請求項１４】
読取媒体が基台に載置されると共に、上記基台がカバー体に覆われた状態で、上記読取
媒体に描かれた絵画および／または文字と、上記カバー体の上記基台との対向面の少なく
とも一部に設けられた光反射体の所定の領域とを読み取る読取ステップと、
上記読取ステップによって読み取られた上記絵画および／または文字をディジタルデー
タに変換すると共に、上記光反射体の所定の領域に対して透明化処理を施すデータ処理ス
テップと、
を有することを特徴とするディジタルデータ作成方法。
【請求項１５】
読取媒体に描かれた絵画および／または文字と、上記読取媒体に設けられた光透過部の
領域とを読み取る読取ステップと、
上記読取ステップによって読み取られた上記絵画および／または文字をディジタルデー
タに変換すると共に、上記光透過部の領域に対して透明化処理を施すデータ処理ステップ
と、
上記ディジタルデータに変換された絵画および／または文字と、印刷対象となるディジ
タルデータと、を合成するデータ合成ステップと、
上記データ合成ステップによって合成された合成データに基づいて印刷媒体に印刷する
印刷ステップと、
を有することを特徴とする印刷方法。
【請求項１６】
読取媒体に描かれた絵画および／または文字と、上記読取媒体の一部を覆った光反射体
の領域とを読み取る読取ステップと、
上記読取ステップによって読み取られた上記絵画および／または文字をディジタルデー
タに変換すると共に、上記光反射体の領域に対して透明化処理を施すデータ処理ステップ
と、
上記ディジタルデータに変換された絵画および／または文字と、印刷対象となるディジ
タルデータと、を合成するデータ合成ステップと、
上記データ合成ステップによって合成された合成データに基づいて印刷媒体に印刷する
印刷ステップと、
を有することを特徴とする印刷方法。
【請求項１７】
読取媒体が基台に載置されると共に、上記基台がカバー体に覆われた状態で、上記読取
媒体に描かれた絵画および／または文字と、上記カバー体の上記基台との対向面の少なく
とも一部に設けられた光反射体の所定の領域とを読み取る読取ステップと、
上記読取ステップによって読み取られた上記絵画および／または文字をディジタルデー
タに変換すると共に、上記光反射体の所定の領域に対して透明化処理を施すデータ処理ス
テップと、
上記ディジタルデータに変換された絵画および／または文字と、印刷対象となるディジ
タルデータと、を合成するデータ合成ステップと、
上記データ合成ステップによって合成された合成データに基づいて印刷媒体に印刷する
印刷ステップと、
を有することを特徴とする印刷方法。
【請求項１８】
ディジタルデータ作成装置に読み取り可能なディジタルデータ作成用プログラムであっ
て、ディジタルデータ作成装置が読み取り、実行することによって、ディジタルデータ作
成装置を、
読取媒体に描かれた絵画および／または文字と、上記読取媒体に設けられた光透過部の
領域とを読み取る読取部と、
上記読取部によって読み取られた上記絵画および／または文字をディジタルデータに変
換すると共に、上記光透過部の領域に対して透明化処理を施すデータ処理部と、
して機能させることを特徴とするディジタルデータ作成用プログラム。
【請求項１９】
ディジタルデータ作成装置に読み取り可能なディジタルデータ作成用プログラムであっ
て、ディジタルデータ作成装置が読み取り、実行することによって、ディジタルデータ作
成装置を、
読取媒体に描かれた絵画および／または文字と、上記読取媒体の一部を覆った光反射体
の領域とを読み取る読取部と、
上記読取部によって読み取られた上記絵画および／または文字をディジタルデータに変
換すると共に、上記光反射体の領域に対して透明化処理を施すデータ処理部と、
して機能させることを特徴とするディジタルデータ作成用プログラム。
【請求項２０】
ディジタルデータ作成装置に読み取り可能なディジタルデータ作成用プログラムであっ
て、ディジタルデータ作成装置が読み取り、実行することによって、ディジタルデータ作
成装置を、
基台と、上記基台を覆うことが可能で、上記基台との対向面の少なくとも一部に光反射
体を有するカバー体と、を備え、読取媒体が上記基台に載置されると共に、上記基台が上
記カバー体に覆われた状態で、上記読取媒体に描かれた絵画および／または文字と、上記
光反射体の所定の領域とを読み取る読取部と、
上記読取部によって読み取られた上記絵画および／または文字をディジタルデータに変
換すると共に、上記光反射体の所定の領域に対して透明化処理を施すデータ処理部と、
して機能させることを特徴とするディジタルデータ作成用プログラム。
【請求項２１】
印刷装置に読み取り可能な印刷用プログラムであって、印刷装置が読み取り、実行する
ことによって、印刷装置を、
読取媒体に描かれた絵画および／または文字と、上記読取媒体に設けられた光透過部の
領域とを読み取る読取部と、
上記読取部によって読み取られた上記絵画および／または文字をディジタルデータに変
換すると共に、上記光透過部の領域に対して透明化処理を施すデータ処理部と、
上記ディジタルデータに変換された絵画および／または文字と、印刷対象となるディジ
タルデータと、を合成するデータ合成部と、
上記データ合成部によって合成された合成データに基づいて印刷媒体に印刷する印刷部
と、
して機能させることを特徴とする印刷用プログラム。
【請求項２２】
印刷装置に読み取り可能な印刷用プログラムであって、印刷装置が読み取り、実行する
ことによって、印刷装置を、
読取媒体に描かれた絵画および／または文字と、上記読取媒体の一部を覆った光反射体
の領域とを読み取る読取部と、
上記読取部によって読み取られた上記絵画および／または文字をディジタルデータに変
換すると共に、上記光反射体の領域に対して透明化処理を施すデータ処理部と、
上記ディジタルデータに変換された絵画および／または文字と、印刷対象となるディジ
タルデータと、を合成するデータ合成部と、
上記データ合成部によって合成された合成データに基づいて印刷媒体に印刷する印刷部
と、
して機能させることを特徴とする印刷用プログラム。
【請求項２３】
印刷装置に読み取り可能な印刷用プログラムであって、印刷装置が読み取り、実行する
ことによって、印刷装置を、
基台と、上記基台を覆うことが可能で、上記基台との対向面の少なくとも一部に光反射
体を有するカバー体と、を備え、読取媒体が上記基台に載置されると共に、上記基台が上
記カバー体に覆われた状態で、上記読取媒体に描かれた絵画および／または文字と、上記
光反射体の所定の領域とを読み取る読取部と、
上記読取部によって読み取られた上記絵画および／または文字をディジタルデータに変
換すると共に、上記光反射体の所定の領域に対して透明化処理を施すデータ処理部と、
上記ディジタルデータに変換された絵画および／または文字と、印刷対象となるディジ
タルデータと、を合成するデータ合成部と、
上記データ合成部によって合成された合成データに基づいて印刷媒体に印刷する印刷部
と、
して機能させることを特徴とする印刷用プログラム。
【発明の詳細な説明】
【技術分野】
【０００１】
本発明は、ディジタルデータ作成装置、印刷装置、ディジタルデータ作成方法、印刷方
法、ディジタルデータ作成用プログラムおよび印刷用プログラムに関する。
【背景技術】
【０００２】
従来から、印刷対象データにフレーム画像データを重ね合わせて、合成画像データを作
成する技術が知られている。フレーム画像データは、パーソナルコンピュータ（Ｐｅｒｓ
ｏｎａｌ  Ｃｏｍｐｕｔｅｒ：ＰＣ）などを用いて、画像データの一部の領域に対して透
明化処理を施すことによって作成される（特許文献１参照）。
【０００３】
【特許文献１】特開２００３−１１６００４号公報（要約書、第２２段落等）
【発明の開示】
【発明が解決しようとする課題】
【０００４】
しかしながら、ＰＣを所有していないユーザは、ＰＣを用いてフレームデータを作成す
ることができない。また、ＰＣを所有していても、その取り扱いが得意でないユーザにと
っては、ＰＣを用いてフレームデータを作成するのは簡単ではない。
【０００５】
本発明は、これらの問題点に鑑みてなされたものであって、手軽に、手書きで作成した
絵画あるいは文字のフレーム画像のディジタルデータを作成すること、およびこのフレー
ム画像のディジタルデータと写真画像等の印刷対象画像とを合成して、この合成画像を印
刷することを目的とする。
【課題を解決するための手段】
【０００６】
この目的を達成するため、本発明のディジタルデータ作成装置は、読取媒体に描かれた
絵画および／または文字と、読取媒体に設けられた光透過部の領域とを読み取る読取部と
、読取部によって読み取られた絵画および／または文字をディジタルデータに変換すると
共に、光透過部の領域に対して透明化処理を施すデータ処理部と、を有するものである。
【０００７】
このため、ＰＣを所有していないユーザ、あるいはＰＣの取り扱いが得意でないユーザ
でも、光透過部が設けられた読取媒体に手書きで描いた絵画および／または文字を読取部
に読み取らせることによって、フレーム画像のディジタルデータを簡易に作成することが
できる。
【０００８】
また、光源を有し、読取部は、読取媒体の光源側とは反対側から光透過部を遮蔽する光
反射体によって光を反射させて、光透過部の領域を読み取る構成を採用することができる
。この構成によって、透明化処理が施される光透過部の領域を明確に認識することができ
る。
【０００９】
他の発明のディジタルデータ作成装置は、読取媒体に描かれた絵画および／または文字
と、読取媒体の一部を覆った光反射体の領域とを読み取る読取部と、読取部によって読み
取られた絵画および／または文字をディジタルデータに変換すると共に、光反射体の領域
に対して透明化処理を施すデータ処理部と、を有するものである。
【００１０】
このため、ＰＣを所有していないユーザ、あるいはＰＣの取り扱いが得意でないユーザ
でも、光反射体で一部を覆った読取媒体に手書きで描いた絵画および／または文字を読取
部に読み取らせることによって、フレーム画像のディジタルデータを簡易に作成すること
ができる。
【００１１】
他の発明のディジタルデータ作成装置は、基台と、基台を覆うことが可能で、基台との
対向面の少なくとも一部に光反射体を有するカバー体と、を備え、読取媒体が基台に載置
されると共に、基台がカバー体に覆われた状態で、読取媒体に描かれた絵画および／また
は文字と、光反射体の所定の領域とを読み取る読取部と、読取部によって読み取られた絵
画および／または文字をディジタルデータに変換すると共に、光反射体の所定の領域に対
して透明化処理を施すデータ処理部と、を有するものである。
【００１２】
このため、ＰＣを所有していないユーザ、あるいはＰＣの取り扱いが得意でないユーザ
でも、基台に読取媒体を載置し、光反射体を有するカバー体で基台を覆った状態で、読取
媒体に手書きで描いた絵画および／または文字を読取部に読み取らせることによって、フ
レーム画像のディジタルデータを簡易に作成することができる。
【００１３】
データ処理部は、読取媒体に設けられた孔部を所定の領域として、透明化処理を施す構
成を採用することができる。この構成によって、簡易に透明化処理を施す領域を認識する
ことができる。
【００１４】
また、これらのディジタルデータ作成装置では、データ処理部によって透明化処理を施
されたディジタルデータを記録する記録部を有する構成を採用することができる。この構
成によって、各種のフレーム画像のディジタルデータを、ディジタルデータ作成装置に記
録させることができる。したがって、合成する他のディジタルデータに応じて、フレーム
画像データを選択すること等が可能となる。
【００１５】
本発明の印刷装置は、読取媒体に描かれた絵画および／または文字と、読取媒体に設け
られた光透過部の領域とを読み取る読取部と、読取部によって読み取られた絵画および／
または文字をディジタルデータに変換すると共に、光透過部の領域に対して透明化処理を
施すデータ処理部と、ディジタルデータに変換された絵画および／または文字と、印刷対
象となるディジタルデータと、を合成するデータ合成部と、データ合成部によって合成さ
れた合成データに基づいて印刷媒体に印刷する印刷部と、を有するものである。
【００１６】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。
【００１７】
印刷対象となるディジタルデータを入力する入力部を有する構成を採用することができ
る。この構成によって、印刷装置にＰＣを接続しなくても、印刷対象となるディジタルデ
ータを印刷装置に容易に入力することができる。
【００１８】
画像を読取部から読み取り、データ処理部は、読取部から読み取られた画像を、印刷対
象となるディジタルデータに変換する構成を採用することができる。この構成によって、
印刷したい画像がディジタルデータでなくても、読取媒体に描かれた絵画および／または
文字との合成画像を簡易に印刷することができる。
【００１９】
他の発明の印刷装置は、読取媒体に描かれた絵画および／または文字と、読取媒体の一
部を覆った光反射体の領域とを読み取る読取部と、読取部によって読み取られた絵画およ
び／または文字をディジタルデータに変換すると共に、光反射体の領域に対して透明化処
理を施すデータ処理部と、ディジタルデータに変換された絵画および／または文字と、印
刷対象となるディジタルデータと、を合成するデータ合成部と、データ合成部によって合
成された合成データに基づいて印刷媒体に印刷する印刷部と、を有するものである。
【００２０】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。また、光学的に読取媒体を読み取れば、透明化処理を施
す光反射部の領域を明確に認識することができる。
【００２１】
他の発明の印刷装置は、基台と、基台を覆うことが可能で、基台との対向面の少なくと
も一部に光反射体を有するカバー体と、を備え、読取媒体が基台に載置されると共に、基
台がカバー体に覆われた状態で、読取媒体に描かれた絵画および／または文字と、光反射
体の所定の領域とを読み取る読取部と、読取部によって読み取られた絵画および／または
文字をディジタルデータに変換すると共に、光反射体の所定の領域に対して透明化処理を
施すデータ処理部と、ディジタルデータに変換された絵画および／または文字と、印刷対
象となるディジタルデータと、を合成するデータ合成部と、データ合成部によって合成さ
れた合成データに基づいて印刷媒体に印刷する印刷部と、を有するものである。
【００２２】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。また、カバー体が光反射体を有するので、簡易に透明化
処理を施す領域を認識することができる。
【００２３】
本発明のディジタルデータ作成方法は、読取媒体に描かれた絵画および／または文字と
、読取媒体に設けられた光透過部の領域とを読み取る読取ステップと、読取ステップによ
って読み取られた絵画および／または文字をディジタルデータに変換すると共に、光透過
部の領域に対して透明化処理を施すデータ処理ステップと、を有するものである。
【００２４】
このため、ＰＣを所有していないユーザ、あるいはＰＣの取り扱いが得意でないユーザ
でも、光透過部が設けられた読取媒体に手書きで描いた絵画および／または文字を読取部
に読み取らせることによって、フレーム画像のディジタルデータを簡易に作成することが
できる。
【００２５】
他の発明のディジタルデータ作成方法は、読取媒体に描かれた絵画および／または文字
と、読取媒体の一部を覆った光反射体の領域とを読み取る読取ステップと、読取ステップ
によって読み取られた絵画および／または文字をディジタルデータに変換すると共に、光
反射体の領域に対して透明化処理を施すデータ処理ステップと、を有するものである。
【００２６】
このため、ＰＣを所有していないユーザ、あるいはＰＣの取り扱いが得意でないユーザ
でも、光反射体で一部を覆った読取媒体に手書きで描いた絵画および／または文字を読取
部に読み取らせることによって、フレーム画像のディジタルデータを簡易に作成すること
ができる。
【００２７】
他の発明のディジタルデータ作成方法は、読取媒体が基台に載置されると共に、基台が
カバー体に覆われた状態で、読取媒体に描かれた絵画および／または文字と、カバー体の
基台との対向面の少なくとも一部に設けられた光反射体の所定の領域とを読み取る読取ス
テップと、読取ステップによって読み取られた絵画および／または文字をディジタルデー
タに変換すると共に、光反射体の所定の領域に対して透明化処理を施すデータ処理ステッ
プと、を有するものである。
【００２８】
このため、ＰＣを所有していないユーザ、あるいはＰＣの取り扱いが得意でないユーザ
でも、基台に読取媒体を載置し、光反射体を有するカバー体で基台を覆った状態で、読取
媒体に手書きで描いた絵画および／または文字を読取部に読み取らせることによって、フ
レーム画像のディジタルデータを簡易に作成することができる。
【００２９】
本発明の印刷方法は、読取媒体に描かれた絵画および／または文字と、読取媒体に設け
られた光透過部の領域とを読み取る読取ステップと、読取ステップによって読み取られた
絵画および／または文字をディジタルデータに変換すると共に、光透過部の領域に対して
透明化処理を施すデータ処理ステップと、ディジタルデータに変換された絵画および／ま
たは文字と、印刷対象となるディジタルデータと、を合成するデータ合成ステップと、デ
ータ合成ステップによって合成された合成データに基づいて印刷媒体に印刷する印刷ステ
ップと、を有するものである。
【００３０】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。
【００３１】
他の発明の印刷方法は、読取媒体に描かれた絵画および／または文字と、読取媒体の一
部を覆った光反射体の領域とを読み取る読取ステップと、読取ステップによって読み取ら
れた絵画および／または文字をディジタルデータに変換すると共に、光反射体の領域に対
して透明化処理を施すデータ処理ステップと、ディジタルデータに変換された絵画および
／または文字と、印刷対象となるディジタルデータと、を合成するデータ合成ステップと
、データ合成ステップによって合成された合成データに基づいて印刷媒体に印刷する印刷
ステップと、を有するものである。
【００３２】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。また、光学的に読取媒体を読み取れば、透明化処理を施
す光反射部の領域を明確に認識することができる。
【００３３】
他の発明の印刷方法は、読取媒体が基台に載置されると共に、基台がカバー体に覆われ
た状態で、読取媒体に描かれた絵画および／または文字と、カバー体の基台との対向面の
少なくとも一部に設けられた光反射体の所定の領域とを読み取る読取ステップと、読取ス
テップによって読み取られた絵画および／または文字をディジタルデータに変換すると共
に、光反射体の所定の領域に対して透明化処理を施すデータ処理ステップと、ディジタル
データに変換された絵画および／または文字と、印刷対象となるディジタルデータと、を
合成するデータ合成ステップと、データ合成ステップによって合成された合成データに基
づいて印刷媒体に印刷する印刷ステップと、を有するものである。
【００３４】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。また、カバー体が光反射体を有するので、簡易に透明化
処理を施す領域を認識することができる。
【００３５】
本発明のディジタルデータ作成用プログラムは、ディジタルデータ作成装置に読み取り
可能なディジタルデータ作成用プログラムであって、ディジタルデータ作成装置が読み取
り、実行することによって、ディジタルデータ作成装置を、読取媒体に描かれた絵画およ
び／または文字と、読取媒体に設けられた光透過部の領域とを読み取る読取部と、読取部
によって読み取られた絵画および／または文字をディジタルデータに変換すると共に、光
透過部の領域に対して透明化処理を施すデータ処理部と、して機能させるものである。
【００３６】
このため、ＰＣを所有していないユーザ、あるいはＰＣの取り扱いが得意でないユーザ
でも、光透過部が設けられた読取媒体に手書きで描いた絵画および／または文字を読取部
に読み取らせることによって、フレーム画像のディジタルデータを簡易に作成することが
できる。
【００３７】
他の発明のディジタルデータ作成用プログラムは、ディジタルデータ作成装置に読み取
り可能なディジタルデータ作成用プログラムであって、ディジタルデータ作成装置が読み
取り、実行することによって、ディジタルデータ作成装置を、読取媒体に描かれた絵画お
よび／または文字と、読取媒体の一部を覆った光反射体の領域とを読み取る読取部と、読
取部によって読み取られた絵画および／または文字をディジタルデータに変換すると共に
、光反射体の領域に対して透明化処理を施すデータ処理部と、して機能させるものである
。
【００３８】
このため、ＰＣを所有していないユーザ、あるいはＰＣの取り扱いが得意でないユーザ
でも、光反射体で一部を覆った読取媒体に手書きで描いた絵画および／または文字を読取
部に読み取らせることによって、フレーム画像のディジタルデータを簡易に作成すること
ができる。
【００３９】
他の発明のディジタルデータ作成用プログラムは、ディジタルデータ作成装置に読み取
り可能なディジタルデータ作成用プログラムであって、ディジタルデータ作成装置が読み
取り、実行することによって、ディジタルデータ作成装置を、基台と、基台を覆うことが
可能で、基台との対向面の少なくとも一部に光反射体を有するカバー体と、を備え、読取
媒体が基台に載置されると共に、基台がカバー体に覆われた状態で、読取媒体に描かれた
絵画および／または文字と、光反射体の所定の領域とを読み取る読取部と、読取部によっ
て読み取られた絵画および／または文字をディジタルデータに変換すると共に、光反射体
の所定の領域に対して透明化処理を施すデータ処理部と、して機能させるものである。
【００４０】
このため、ＰＣを所有していないユーザ、あるいはＰＣの取り扱いが得意でないユーザ
でも、基台に読取媒体を載置し、光反射体を有するカバー体で基台を覆った状態で、読取
媒体に手書きで描いた絵画および／または文字を読取部に読み取らせることによって、フ
レーム画像のディジタルデータを簡易に作成することができる。
【００４１】
本発明の印刷用プログラムは、印刷装置に読み取り可能な印刷用プログラムであって、
印刷装置が読み取り、実行することによって、印刷装置を、読取媒体に描かれた絵画およ
び／または文字と、読取媒体に設けられた光透過部の領域とを読み取る読取部と、読取部
によって読み取られた絵画および／または文字をディジタルデータに変換すると共に、光
透過部の領域に対して透明化処理を施すデータ処理部と、ディジタルデータに変換された
絵画および／または文字と、印刷対象となるディジタルデータと、を合成するデータ合成
部と、データ合成部によって合成された合成データに基づいて印刷媒体に印刷する印刷部
と、して機能させるものである。
【００４２】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。
【００４３】
他の発明の印刷用プログラムは、印刷装置に読み取り可能な印刷用プログラムであって
、印刷装置が読み取り、実行することによって、印刷装置を、読取媒体に描かれた絵画お
よび／または文字と、読取媒体の一部を覆った光反射体の領域とを読み取る読取部と、読
取部によって読み取られた絵画および／または文字をディジタルデータに変換すると共に
、光反射体の領域に対して透明化処理を施すデータ処理部と、ディジタルデータに変換さ
れた絵画および／または文字と、印刷対象となるディジタルデータと、を合成するデータ
合成部と、データ合成部によって合成された合成データに基づいて印刷媒体に印刷する印
刷部と、して機能させるものである。
【００４４】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。また、カバー体が光反射体を有するので、簡易に透明化
処理を施す領域を認識することができる。
【００４５】
他の発明の印刷用プログラムは、印刷装置に読み取り可能な印刷用プログラムであって
、印刷装置が読み取り、実行することによって、印刷装置を、基台と、基台を覆うことが
可能で、基台との対向面の少なくとも一部に光反射体を有するカバー体と、を備え、読取
媒体が基台に載置されると共に、基台がカバー体に覆われた状態で、読取媒体に描かれた
絵画および／または文字と、光反射体の所定の領域とを読み取る読取部と、読取部によっ
て読み取られた絵画および／または文字をディジタルデータに変換すると共に、光反射体
の所定の領域に対して透明化処理を施すデータ処理部と、ディジタルデータに変換された
絵画および／または文字と、印刷対象となるディジタルデータと、を合成するデータ合成
部と、データ合成部によって合成された合成データに基づいて印刷媒体に印刷する印刷部
と、して機能させるものである。
【００４６】
このため、ユーザが読取媒体に手書きで描いた絵画および／または文字とデジタルカメ
ラ等で撮影したディジタル写真画像データ等とを合成した合成画像を印刷媒体に印刷でき
る。したがって、ＰＣを所有していないユーザ、あるいはＰＣの取り扱いが得意でないユ
ーザでも、簡易に合成画像を得ることができる。また、手書きによって絵画および／また
は文字を読取媒体に描けば、手書きの状態がそのまま合成画像に現れるので、温かみのあ
る合成画像を得ることができる。また、カバー体が光反射体を有するので、簡易に透明化
処理を施す領域を認識することができる。
【発明を実施するための最良の形態】
【００４７】
本発明に係るディジタルデータ作成装置、印刷装置、ディジタルデータ作成方法、印刷
方法、ディジタルデータ作成用プログラムおよび印刷用プログラムの実施の形態について
、図面を参照しながら説明する。なお、印刷装置はディジタルデータ作成装置と、印刷方
法はディジタルデータ作成方法と、印刷用プログラムはディジタルデータ作成用プログラ
ムと、それぞれ併せて説明する。
【００４８】
図１は、本発明の実施の形態に係るディジタルデータ作成装置１０の内部構造を模式的
に示す図である。図２は、このディジタルデータ作成装置１０を示すブロック図である。
ディジタルデータ作成装置１０は、スキャナ１２と、制御部１４と、操作部１６とを有し
ている。また、このディジタルデータ作成装置１０は、入力部１８と、キャリッジモータ
２０と、印刷ヘッドユニット２２と、モータ２４とを有していて、印刷装置としても機能
している。
【００４９】
図３は、スキャナ１２の構造を模式的に示す図である。スキャナ１２は、基台３０と、
カバー体３２と、光学系キャリッジ３４と、駆動部３６と、光学系キャリッジ３４に搭載
された光源４０と、鏡４２と、レンズ４４およびＣＣＤ（Ｃｈａｒｇｅ  Ｃｏｕｐｌｅｄ
Ｄｅｖｉｃｅ）センサ４６を有している。基台３０は、読取媒体４８を載置する台であ
り、ガラス等の光を透過する材質から構成されている。カバー体３２は、ディジタルデー
タ作成装置１０にヒンジ機構を介して連結されていて、基台３０に対して開閉自在となっ
ている。また、カバー体３２は、基台３０に載置された読取媒体４８を押さえる機能と、
光学系キャリッジ３４に搭載されている光源４０からの光以外の光が読取媒体４８を照射
しないようにする機能とを有している。
【００５０】
光源４０は、基台３０を透過して読取媒体４８を照射する光の発生源である。鏡４２は
、読取媒体４８に照射された光の反射光をさらに反射させて、ＣＣＤセンサ４６に入射さ
せる。鏡４２は、光路長を長くするために設けられている。レンズ４４は、鏡４２とＣＣ
Ｄセンサ４６との間に配置されており、ＣＣＤセンサ４６への入射光を集光するためのも
のである。ＣＣＤセンサ４６に入射された光は、光量に応じたアナログ信号となって、光
学系キャリッジ３４に搭載されている制御部１４の一部であるＡ／Ｄ（Ａｎａｌｏｇ／Ｄ
ｉｇｉｔａｌ）変換器４９に出力される。
【００５１】
駆動部３６は、駆動力を発生させる駆動モータ５０と、駆動モータ５０で発生した駆動
力による駆動速度を減速させるギア５２と、駆動モータ５０からギア５２を介して伝達さ
れた駆動力によって光学系キャリッジ３４を走査させる駆動ベルト５４とを有している。
駆動部３６は、基台３０とカバー体３２との間に読取媒体４８を挟持した状態で、光源４
０からの光が読取媒体４８全面に渡って照射されるように、光学系キャリッジ３４を走査
させるためのものである。
【００５２】
スキャナ１２は、紙あるいは樹脂シート等の読取媒体４８に描かれた絵画および／また
は文字（以下、「絵画および／または文字」を「絵画等」という。）と、読取媒体４８に
設けられた光透過部５６の領域を読み取る部分であり、制御部１４を含めて読取部を構成
している。なお、読取媒体４８に描かれる絵画等は、ユーザの手書によって描かれても良
いし、その一部はＰＣ（Ｐｅｒｓｏｎａｌ  Ｃｏｍｐｕｔｅｒ）および印刷装置等を用い
て描かれても良い。
【００５３】
図４は、読取媒体４８と、読取媒体４８に重ねられた光反射体５８との一例を示す正面
図である。読取部では、光源４０からの光を、読取媒体４８への光の入射側とは反対側か
ら光透過部５６（読取媒体４８に設けられた孔部）を遮蔽する光反射体５８で反射させる
ことによって、光透過部５６の領域を読み取っている。光透過部５６を遮蔽する光反射体
５８で光を反射させて光透過部５６の領域を読み取るので、透明化処理が施される光透過
部５６の領域を明確に認識することができる。光反射体５８としては、例えば、金属箔あ
るいは鏡が挙げられる。なお、読取部が、読取媒体４８に描かれた絵画等と、読取媒体４
８に設けられた光透過部５６の領域を読み取る詳細な仕組みについては、後述する。
【００５４】
制御部１４は、スキャナ１２によって読み取られた読取媒体４８に描かれた絵画等をデ
ィジタルデータに変換すると共に、光透過部５６の領域に対して透明化処理を施すデータ
処理部６０と、このデータ処理後のデータを記録する記録部６２と、記録部６２に記録さ
れたこのデータと印刷対象となるディジタルデータを合成するデータ合成部６４とを有し
ている。データ処理部６０において一連の処理を施された絵画等が、フレーム画像データ
となる。フレーム画像データは、制御部１４の記録部６２に記録される。
【００５５】
制御部１４は、中央演算処理装置（Ｃｅｎｔｒａｌ  Ｐｒｏｃｅｓｓｉｎｇ  Ｕｎｉｔ
：ＣＰＵ）、プログラマブルＲＯＭ（Ｐｒｏｇｒａｍｍａｂｌｅ−Ｒｅａｄ  Ｏｎｌｙ  
Ｍｅｍｏｒｙ：Ｐ−ＲＯＭ）、ＲＡＭ（Ｒａｎｄｏｍ  Ａｃｃｅｓｓ  Ｍｅｍｏｒｙ）、
ＥＥＰＲＯＭ（Ｅｌｅｃｔｒｉｃａｌｌｙ  Ｅｒａｓｅｒａｂｌｅ  Ｐｒｏｇｒａｍｍａ
ｂｌｅ−Ｒｅａｄ  Ｏｎｌｙ  Ｍｅｍｏｒｙ）およびＡ／Ｄ変換器４９を有している。Ｅ
ＥＰＲＯＭには、ディジタルデータ作成用プログラム、または印刷用プログラムが格納さ
れている。
【００５６】
データ処理部６０は、ＣＰＵ、Ｐ−ＲＯＭ、ＥＥＰＲＯＭ（ディジタルデータ作成用プ
ログラム、または印刷用プログラムを含む）およびＡ／Ｄ変換器４９から構成されている
。データ処理部６０の一部を構成するＣＰＵは、Ｐ−ＲＯＭ中の制御用プログラムに基づ
いて、ＥＥＰＲＯＭのディジタルデータ作成用プログラム、または印刷用プログラムを読
みながら、Ａ／Ｄ変換器４９により、ＣＣＤセンサ４６から入力されたアナログデータを
ディジタルデータに変換する。
【００５７】
また、データ処理部６０の一部を構成するＣＰＵは、Ｐ−ＲＯＭ中の制御用プログラム
に基づいて、ＥＥＰＲＯＭに格納されているディジタルデータ作成用プログラム、または
印刷用プログラムを読みながら、特定のディジタルデータの削除を行う。
【００５８】
記録部６２は、ＣＰＵ、Ｐ−ＲＯＭ、ＥＥＰＲＯＭおよびＲＡＭから構成されている。
記録部６２の一部を構成するＣＰＵは、Ｐ−ＲＯＭ中の制御用プログラムに基づいて、Ｅ
ＥＰＲＯＭ中のディジタルデータ作成用プログラム、または印刷用プログラムを読みなが
ら、ＲＡＭにデータを記録する。なお、記録部６２は、ディジタルデータ作成装置１０に
着脱可能であっても良い。
【００５９】
また、データ合成部６４は、ＣＰＵ、Ｐ−ＲＯＭおよびＥＥＰＲＯＭから構成されてい
る。データ合成部６４の一部を構成するＣＰＵは、Ｐ−ＲＯＭ中の制御用プログラムに基
づいて、ＥＥＰＲＯＭ中の印刷用プログラムを読みながら、ディジタルデータに変換され
た絵画等と、印刷対象となるディジタルデータと、を合成する。
【００６０】
入力部１８は、印刷対象となるデジタルカメラ等で撮影されたディジタル写真画像デー
タ等のディジタルデータを入力する部分である。入力部１８に、ディジタル写真画像デー
タが記録されたメモリカードまたはフレキシブルディスク（Ｆｌｅｘｉｂｌｅ  Ｄｉｓｋ
：ＦＤ）などの記録媒体が装着されると、これら記録媒体に格納されたディジタル写真画
像データは、記録媒体から読み出されて、制御部１４に送られる。入力部１８を有するこ
とによって、印刷装置にＰＣを接続しなくても、印刷対象となるディジタルデータを印刷
装置に容易に入力することができる。
【００６１】
なお、印刷対象となる画像を読取部から読み取り、データ処理部６０で、読取部から読
み取られたこの画像を印刷対象となるディジタルデータに変換しても良い。これによって
、印刷したい画像がディジタルデータでなくても、読取媒体４８に描かれた絵画等と合成
するディジタルデータを簡易に作成することができる。
【００６２】
入力部１８から入力されたディジタルデータ、あるいは、読取部から読み取られた印刷
対象となる画像が変換されたディジタルデータは、制御部１４において一旦記録部６２に
記録された後、データ合成部６４において記録部６２に記録されているフレーム画像デー
タと合成される。
【００６３】
キャリッジモータ２０は、印刷ヘッドユニット２２を搭載した印刷系キャリッジを駆動
するモータである。印刷ヘッドユニット２２は、印刷ヘッドを駆動してインクの吐出を制
御する部分である。モータ２４は、例えば紙などの印刷媒体６６を送るためにローラ６８
，６８を回転させるものである。
【００６４】
印刷部は、これらキャリッジモータ２０と、印刷ヘッドユニット２２と、モータ２４と
、制御部１４とから構成され、データ合成部６４によって合成された合成データに基づい
て、紙、プラスチック、木材、繊維、金属またはセラミック等の印刷媒体６６に合成画像
６９を印刷する。印刷方式は特に限定されず、例えば、インクジェット方式あるいはレー
ザ描画方式が挙げられる。
【００６５】
なお、入力部１８にデジタルカメラを接続し、記録部６２に記録されたフレーム画像デ
ータとデジタルカメラに記録された画像データを合成し、この合成画像６９を印刷媒体６
６に印刷するようにディジタルデータ作成装置１０を構成しても良い。
【００６６】
また、制御部１４に、ディジタル写真画像データを一時的に記録しておく第２の記録部
を設け、記録部６２に記録されたフレーム画像データと第２の記録部に記録されたディジ
タル写真画像データを合成し、この合成画像６９を印刷媒体６６に印刷するようにディジ
タルデータ作成装置１０を構成しても良い。
【００６７】
本実施の形態に係るディジタルデータ作成装置１０では、ＰＣを所有していないユーザ
、あるいはＰＣの取り扱いが得意でないユーザでも、光透過部が設けられた読取媒体に手
書きで描いた絵画および／または文字を読取部に読み取らせることによって、フレーム画
像のディジタルデータを簡易に作成することができる。また、読取媒体４８に手書きで描
かれた絵画等とデジタルカメラ等で撮影したディジタル写真画像データ等とを合成した合
成画像６９を印刷媒体６６に印刷できるので、ＰＣを所有していないユーザ、あるいはＰ
Ｃの取り扱いが得意でないユーザでも、簡易に合成画像６９を得ることができる。また、
手書きの状態がそのまま合成画像６９に現れるので、温かみのある合成画像６９を得るこ
とができる。
【００６８】
図５は、操作部１６の外観模式図である。操作部１６は、表示部７０と、操作ボタン７
２とを備えている。表示部７０は、液晶表示板を備えている。ただし、液晶表示板以外の
表示部７０を採用しても良い。操作ボタン７２は、選択ボタン７４と、実行ボタン７６と
、印刷ボタン７８とを備えている。
【００６９】
表示部７０は、メニュー画面あるいは指示画面等を表示する。選択ボタン７４は、メニ
ュー画面に表示されているメニュー項目あるいは指示画面に表示されている指示項目等を
選択するためのボタンである。実行ボタン７６は、選択されたメニュー項目あるいは指示
項目等を実行するためのボタンである。また、印刷ボタン７８は、設定された条件で印刷
媒体６６に画像等を印刷するためのボタンである。
【００７０】
次に、図１から図８を参照しながら、本実施の形態に係るディジタルデータ作成装置１
０を用いてフレーム画像のディジタルデータを作成するディジタルデータ作成方法、およ
びこのディジタルデータを使った合成画像６９を印刷媒体６６に印刷する印刷方法につい
て説明する。このディジタルデータ作成方法は、ディジタルデータ作成装置１０により読
み取り可能なディジタルデータ作成用プログラムによって実行される。また、この印刷方
法は、印刷装置としてのディジタルデータ作成装置１０により読み取り可能な印刷用プロ
グラムによって実行される。なお、ここでは、読取媒体４８および印刷媒体６６として紙
を用いている。
【００７１】
図６は、ディジタルデータ作成装置１０を用いてフレーム画像のディジタルデータを作
成するディジタルデータ作成方法と、このディジタルデータを使った合成画像６９を印刷
する印刷方法の処理の一連の流れを示すフローチャートである。図７は、デジタルカメラ
等で撮影された印刷対象となるディジタルデータの画像８０の一例を示す図である。また
、図８は、印刷媒体６６に印刷された合成画像６９の一例を示す図である。
【００７２】
まず、読取媒体４８に描かれた絵画等と、読取媒体４８に設けられた光透過部５６の領
域とを読み取る読取ステップが行われる（ステップＳ１０１）。この読取ステップは、次
のようにして行われる。まず、読取媒体４８の光源４０側とは反対側から光透過部５６を
遮蔽する光反射体５８を読取媒体４８に重ね合わせる。すなわち、読取媒体４８の絵画等
が描かれていない面に、光透過部５６より大きい光反射体５８を重ねる。次に、読取媒体
４８と光反射体５８とを重ねた状態で、読取媒体４８の絵画等が描かれた面を下にして、
読取部の基台３０の上に載置する。次に、操作部１６によって、「用紙のスキャン」が選
択され、実行される。「用紙のスキャン」が実行されると、スキャナ１２によって、光学
的に、読取媒体４８に描かれた絵画等と、光透過部５６の領域とが読み取られる
【００７３】
ここで、スキャナ１２が、読取媒体４８に描かれた絵画等と、光透過部５６の領域とを
読み取る仕組みについて、図３を参照しながら簡単に説明する。
【００７４】
光源４０からの光が、基台３０を透過して読取媒体４８に入射する。入射した光は、読
取媒体４８の絵画等が描かれた領域、および、光透過部５６の領域の背後にある光反射体
５８で反射する。反射した光は、鏡４２でさらに反射して、レンズ４４で集光されて、Ｃ
ＣＤセンサ４６に入射する。ＣＣＤセンサ４６に入射された光は、光量に応じたＲＧＢ（
Ｒ：Ｒｅｄ、Ｇ：Ｇｒｅｅｎ、Ｂ：Ｂｌｕｅ）それぞれの濃淡のアナログデータとなって
、制御部１４の一部であるＡ／Ｄ変換器４９に出力される。なお、光学系キャリッジ３４
は、駆動部３６によって、光源４０からの光が読取媒体４８全面に渡って照射されるよう
に走査される。
【００７５】
ステップＳ１０１に続き、読取ステップによって読み取られた絵画等をディジタルデー
タに変換するデータ変換ステップが行われる（ステップＳ１０２）。このデータ変換ステ
ップは、次のようにして行われる。ＣＰＵが、ＥＥＰＲＯＭに格納されるディジタルデー
タ作成用プログラム、または印刷用プログラムを読みながら、Ａ／Ｄ変換器４９に、入力
されたアナログデータをディジタルデータに変換処理させる。このステップによって、ア
ナログデータは、ＲＧＢそれぞれの色について、例えば、値０から２５５の２５６段階の
階調値を有するディジタルデータに変換される。
【００７６】
次に、光透過部５６の領域に対して透明化処理を施すデータ処理ステップが行われる（
ステップＳ１０３）。このデータ処理ステップは、ＣＰＵが、ＥＥＰＲＯＭのディジタル
データ作成用プログラム、または印刷用プログラムを読みながら、データ処理部６０に記
憶されている読取媒体４８全面のディジタルデータのうち、光源から発生する光のディジ
タルデータと同じディジタルデータの透明化処理を行うことによって行われる。
【００７７】
なお、この際、光源４０から発生する光のディジタルデータのＲＧＢの各階調値Ｒ＝Ｌ
、Ｇ＝Ｍ、Ｂ＝Ｎ（Ｌ、Ｍ、Ｎは０から２５５の整数）と近似する次の関係を満たす各階
調値Ｒ：Ｌ−α＜Ｒ＜Ｌ＋α、Ｇ：Ｍ−β＜Ｇ＜Ｍ＋β、Ｂ：Ｎ−γ＜Ｂ＜Ｎ＋γ（α、
β、γは、それぞれＬ，Ｍ，Ｎと比べて十分小さい数値）を全て０にしても良い。なお、
光源４０から発生する光のディジタルデータは、例えば、基台３０に光反射体５８を載置
して、スキャナ１２によって、光反射体５８自体を読み取ったときディジタルデータとす
ることができる。
【００７８】
なお、光透過部５６の領域に対して透明化処理を施すデータ処理ステップは、読取ステ
ップによって読み取られた絵画等をディジタルデータに変換するデータ変換ステップの前
に行っても良い。ただし、データ処理の容易さ等を考慮して、データ変換ステップをデー
タ処理ステップの前に行った方が好ましい。
【００７９】
データ変換ステップおよびデータ処理ステップを経て得られたディジタルデータ（フレ
ーム画像データ）は、記録部６２に記録される（ステップＳ１０４）。すなわち、記録部
６２の一部を構成するＣＰＵは、ＥＥＰＲＯＭ中のディジタルデータ作成用プログラム、
または印刷用プログラムを読みながら、ＲＡＭにディジタルデータを記録する。
【００８０】
次に、入力部１８から、例えば、デジタルカメラで撮影された印刷対象となる画像８０
のディジタルデータ（図７参照）を入力するデータ入力ステップが行われる（ステップＳ
１０５）。入力された画像８０のディジタルデータは、記録部６２に記録される（ステッ
プＳ１０６）。すなわち、記録部６２の一部を構成するＣＰＵは、ＥＥＰＲＯＭ中の印刷
用プログラムを読みながら、ＲＡＭに印刷対象となる画像８０のディジタルデータを記録
する。
【００８１】
次に、データ合成部６４では、ディジタルデータに変換された絵画等（フレーム画像デ
ータ）と、印刷対象となる画像８０のディジタルデータと、を合成するデータ合成ステッ
プが行われる（ステップＳ１０７）。すなわち、データ合成部６４の一部を構成するＣＰ
Ｕは、ＥＥＰＲＯＭ中の印刷用プログラムを読みながら、フレーム画像データと、印刷対
象となる画像８０のディジタルデータと、を合成し合成データを作成する。
【００８２】
フレーム画像データと、印刷対象となる画像８０のディジタルデータとの合成は、これ
らの両ディジタルデータを重ね合わせる画素ごとに、いずれかのディジタルデータを採用
することによって行われる。すなわち、フレーム画像データのＲＧＢ階調値が「全て０」
の画素では、印刷対象となる画像８０のディジタルデータのＲＧＢ階調値を採用し、フレ
ーム画像データのＲＧＢ階調値が「全て０」ではない画素では、フレーム画像データのＲ
ＧＢ階調値を採用する。こうして、全面に渡って各画素のＲＧＢ階調値が決定され、合成
データが得られる。合成データは、記録部６２に記録される。
【００８３】
次に、得られた合成データに基づいて印刷媒体６６に印刷する合成データ印刷ステップ
が行われる（ステップＳ１０８）。この合成データ印刷ステップは、次のようにして行わ
れる。まず、例えば、葉書大の印刷媒体６６をディジタルデータ作成装置１０の給紙トレ
ー８６に配置する。次に、操作部１６を操作して、「合成画像の印刷」を選択し、実行す
る。「合成画像の印刷」が実行されると、印刷媒体６６は、ディジタルデータ作成装置１
０の内部に取り込まれ、ローラ６８，６８に挟まれながら、印刷ヘッドユニット２２を備
えたキャリッジの直下を経由し、排紙トレー８８に向かって進行する。キャリッジの直下
を通過するときに、後述するデータ処理部６０から送られた印刷用データに基づいて、印
刷ヘッドから供給されるインクが印刷媒体の表面に吐出され、合成画像６９（図８参照）
が印刷される。
【００８４】
印刷用データであるＣＭＹデータ（Ｃ：Ｃｙａｎ、Ｍ：Ｍａｇｅｎｔａ、Ｙ：Ｙｅｌｌ
ｏｗ）は、データ処理部６０で、合成データのＲＧＢデータが変換されることによって得
られる。すなわち、データ処理部６０の一部を構成するＣＰＵは、ＥＥＰＲＯＭの印刷用
プログラムを読み、ルックアップテーブル（Ｌｏｏｋ  Ｕｐ  Ｔａｂｌｅ：ＬＵＴ）を参
照しながら、ＲＧＢデータをＣＭＹデータに変換する。
【００８５】
次に、図１および図９を参照しながら、他の実施の形態に係るフレーム画像のディジタ
ルデータを作成するディジタルデータ作成方法、およびこのディジタルデータを用いた印
刷方法について説明する。
【００８６】
図９は、他の実施の形態に係るフレーム画像のディジタルデータを作成するディジタル
データ作成方法、およびこのディジタルデータを使った合成画像６９を印刷媒体６６に印
刷する印刷方法の処理の一連の流れを示すフローチャートである。ステップＳ２０２、ス
テップＳ２０４、ステップＳ２０５、ステップＳ２０６、ステップＳ２０７、ステップＳ
２０８およびステップＳ２０９は、それぞれステップＳ１０２、ステップＳ１０４、ステ
ップＳ１０５、ステップＳ１０６、ステップＳ１０７、ステップＳ１０８およびステップ
Ｓ１０９と同じである。したがって、ここでは、ステップＳ２０１およびステップＳ２０
３について、それぞれステップＳ１０１およびステップＳ１０３との相違点を主体に説明
する。
【００８７】
ステップＳ２０１では、まず、読取媒体４８の絵画等が描かれた面の透明化処理を行い
たい箇所に光反射体５８を重ねる。読取媒体４８と光反射体５８との重なり面同士を貼着
させても良い。次に、読取媒体４８と光反射体５８とを重ねた状態で、読取媒体４８の絵
画等が描かれた面を下にして、読取部の基台３０の上に載置する。次に、操作部１６によ
って、「用紙のスキャン」が選択され、実行される。「用紙のスキャン」が実行されると
、スキャナ１２によって、光学的に、読取媒体４８に描かれた絵画等と、光反射体５８の
領域とが読み取られる
【００８８】
ステップＳ２０３では、光反射体５８の領域に対して透明化処理を施すデータ処理ステ
ップが行われる。このデータ処理ステップは、ＣＰＵが、ＥＥＰＲＯＭのディジタルデー
タ作成用プログラム、または印刷用プログラムを読みながら、データ処理部６０に記憶さ
れている読取媒体全面のディジタルデータのうち、光源４０から発生する光のディジタル
データと同じディジタルデータの透明化処理を行うことによって行われる。
【００８９】
このディジタルデータ作成方法または印刷方法によれば、ＰＣを所有していないユーザ
、あるいはＰＣの取り扱いが得意でないユーザでも、光反射体で一部を覆った読取媒体に
手書きで描いた絵画等を読取部に読み取らせることによって、フレーム画像のディジタル
データを簡易に作成することができる。
【００９０】
次に、図１および図１０から図１３を参照しながら、他の実施の形態に係るフレーム画
像のディジタルデータを作成するディジタルデータ作成方法、およびこのディジタルデー
タを用いた印刷方法について説明する。
【００９１】
図１０は、他の実施の形態に係るフレーム画像のディジタルデータを作成するディジタ
ルデータ作成方法、およびこのディジタルデータを使った合成画像６９を印刷媒体６６に
印刷する印刷方法の処理の一連の流れを示すフローチャートである。ステップＳ３０２、
ステップＳ３０４、ステップＳ３０５、ステップＳ３０６、ステップＳ３０７、ステップ
Ｓ３０８およびステップＳ３０９は、それぞれステップＳ１０２、ステップＳ１０４、ス
テップＳ１０５、ステップＳ１０６、ステップＳ１０７、ステップＳ１０８およびステッ
プＳ１０９と同じである。したがって、ここでは、ステップＳ３０１およびステップＳ３
０３について、それぞれステップＳ１０１およびステップＳ１０３との相違点を主体に説
明する。
【００９２】
図１１は、他の読取媒体８４の一例を示す図である。図１２は、他の読取媒体８６の一
例を示す図である。図１３は、他の読取媒体８８の一例を示す図である。ステップＳ３０
１では、まず、フレーム画像データに変換したときに、透明にしたい部分が欠けている読
取媒体８４の絵画等が描かれた面を下にして、読取部の基台３０の上に載置する。この欠
けている部分は、読取媒体８４に設けられた孔部９０（図１１参照）であっても良いし、
読取媒体８６の端の切欠部９２（図１２参照）であっても良いし、あるいは、読取媒体８
８自体と印刷対象となる画像データとが重なり合わない部分９４（図１３参照）であって
も良い。
【００９３】
次に、基台３０との対向面３２ａの少なくとも一部に光反射体５８を有するカバー体３
２を閉じて、カバー体３２で基台３０および読取媒体４８を覆う。次に、操作部１６によ
って、「用紙のスキャン」が選択され、実行される。「用紙のスキャン」が実行されると
、スキャナ１２によって、光学的に、読取媒体４８に描かれた絵画等と、光反射体５８の
所定の領域とが読み取られる。
【００９４】
ここで、「所定の領域」とは、透明化処理したい部分を全部含み、かつ、できるだけ狭
い領域であることが好ましい。透明化処理したい部分を全部含まない領域を読み取っても
、この含まれていない箇所は透明化処理されず、所望のフレーム画像データが得られない
からである。また、広すぎる領域を読み取っても、透明化処理に時間がかかってしまう。
この上、得られたフレーム画像データが、記録部６２の記録領域を多く使用するおそれが
有る。
【００９５】
ステップＳ３０３では、光反射体５８の所定の領域に対して透明化処理を施すデータ処
理ステップが行われる。このデータ処理ステップは、ＣＰＵが、ＥＥＰＲＯＭのディジタ
ルデータ作成用プログラム、または印刷用プログラムを読みながら、データ処理部６０に
記憶されている読取媒体全面のディジタルデータのうち、光源４０から発生する光のディ
ジタルデータと同じディジタルデータの透明化処理を行うことによって行われる。
【００９６】
このディジタルデータ作成方法または印刷方法によれば、ＰＣを所有していないユーザ
、あるいはＰＣの取り扱いが得意でないユーザでも、基台に読取媒体を載置し、光反射体
を有するカバー体で基台を覆った状態で、読取媒体に手書きで描いた絵画および／または
文字を読取部に読み取らせることによって、フレーム画像のディジタルデータを簡易に作
成することができる。
【００９７】
以上に説明した各実施の形態は、本発明の好適な実施の形態であるが、本発明の要旨を
逸脱しない範囲で種々変更実施可能である。例えば、本発明の実施の形態に係るディジタ
ルデータ作成装置１０はスタンドアロン型であったが、ディジタルデータ作成装置１０は
、ＰＣが接続されているものであっても良い。ＰＣが接続されているディジタルデータ作
成装置では、ＰＣのＨＤＤ（Ｈａｒｄ  Ｄｉｓｋ  Ｄｒｉｖｅ）にディジタルデータ作成
用プログラム、または印刷用プログラムを格納しておき、ＰＣを操作してディジタルデー
タ作成装置１０に上述の各ステップを実行させても良い。
【００９８】
また、上述の各ステップを実行させる機能を記述したプログラムは、ＰＣ等のコンピュ
ータあるいはディジタルデータ作成装置１０等が読み取り可能な記録媒体に記録しておく
ことができる。この記録媒体としては、磁気記録装置、光ディスク、光磁気記録媒体また
は半導体メモリなどが挙げられる。磁気記録装置としては、ＨＤＤ、ＦＤまたは磁気テー
プなどが挙げられる。光ディスクとしては、ＤＶＤ、ＤＶＤ−ＲＡＭ、ＣＤ−ＲＯＭ（Ｃ
ｏｍｐａｃｔ  Ｄｉｓｋ−ＲＯＭ）またはＣＤ−Ｒ（ＣＤ−Ｒｅｃｏｒｄａｂｌｅ）／Ｒ
Ｗ（Ｒｅ−Ｗｒｉｔａｂｌｅ）などが挙げられる。光磁気記録媒体としては、ＭＯ（Ｍａ
ｇｎｅｔｏ  Ｏｐｔｉｃ）などが挙げられる。
【００９９】
また、プログラムを流通させる場合、例えば、そのプログラムが記録されたＤＶＤまた
はＣＤ−ＲＯＭなどの可搬性記録媒体を販売することによって行われる。また、プログラ
ムをサーバコンピュータなどの記憶装置に格納しておき、ネットワークを通じて、サーバ
コンピュータから他のコンピュータに転送することもできる。
【０１００】
プログラムを実行するコンピュータあるいはディジタルデータ作成装置１０は、例えば
、可搬性記録媒体に記録されたプログラムあるいはサーバコンピュータから転送されたプ
ログラムを、自己の記憶装置に格納する。そして、コンピュータあるいはディジタルデー
タ作成装置１０は、自己の記憶装置からプログラムを読み取り、プログラムに従った処理
を実行する。
【０１０１】
なお、コンピュータあるいはディジタルデータ作成装置１０は、可搬性記録媒体から直
接プログラムを読み取り、そのプログラムに従った処理を実行することもできる。また、
コンピュータは、サーバコンピュータからプログラム転送される毎に、逐次受け取ったプ
ログラムに従った処理を実行することもできる。また、ディジタルデータ作成装置１０は
、これに接続されているＰＣからプログラム転送される毎に、逐次受け取ったプログラム
に従った処理を実行することもできる。
【０１０２】
また、ディジタルデータ作成装置１０にコンピュータを接続し、コンピュータからの出
力データと、ディジタルデータ作成装置１０の記録部６２に記録されているフレーム画像
データとを合成して、この合成画像６９を印刷しても良い。また、ディジタルデータ作成
装置１０の記録部６２に記録されているフレーム画像データを、可搬性記録媒体等を使用
して、デジタルカメラ、あるいは、カメラ付き携帯電話等の撮影機器に記録し、フレーム
画像との合成撮影を行えるようにしても良い。
【０１０３】
また、ディジタルデータ作成装置１０の記録部６２に記録されているフレーム画像デー
タを、可搬性記録媒体等を使用して、ＰＣ等のコンピュータに記録し、フレーム画像デー
タの編集、あるいは、コンピュータに記録されている他のデータとの合成を行えるように
しても良い。また、印刷対象となるデータは写真画像以外に、文書データとすることもで
きる。この場合、例えば、文書データを賞状の文書とし、フレーム画像データを賞状の縁
模様とすることもできる。
【図面の簡単な説明】
【０１０４】
【図１】本発明の実施の形態に係るディジタルデータ作成装置を示す断面模式図である。
【図２】図１のディジタルデータ作成装置を示すブロック図である。
【図３】図１のディジタルデータ作成装置のスキャナを示す断面模式図である。
【図４】図１のディジタルデータ作成装置に読み取らせる読取媒体と光反射体とが重なった状態を示す外観図である。
【図５】図１のディジタルデータ作成装置の操作部を示す外観模式図である。
【図６】本発明の実施の形態に係るディジタルデータ作成方法および印刷方法の手順を示すフローチャートである。
【図７】ディジタルデータ作成装置に入力するディジタルデータの画像を示す外観図である。
【図８】ディジタルデータ作成装置によって印刷される合成画像を示す外観図である。
【図９】本発明の他の実施の形態に係るディジタルデータ作成方法および印刷方法の手順を示すフローチャートである。
【図１０】本発明の他の実施の形態に係るディジタルデータ作成方法および印刷方法の手順を示すフローチャートである。
【図１１】ディジタルデータ作成装置に絵画等を読み取らせる他の読取媒体を示す外観図である。
【図１２】ディジタルデータ作成装置に絵画等を読み取らせる他の読取媒体を示す外観図である。
【図１３】ディジタルデータ作成装置に絵画等を読み取らせる他の読取媒体を示す外観図である。
【符号の説明】
【０１０５】
１０  ディジタルデータ作成装置、１２  スキャナ（読取部の一部）、１４  制御部（
読取部の一部、印刷部の一部を含む）、１６  操作部、１８  入力部、２０  キャリッジ
モータ（印刷部の一部）、２２  印刷ヘッドユニット（印刷部の一部）、２４  モータ（
印刷部の一部）
【図１】
2005311779.tif 000003
【図２】
2005311779.tif 000004
【図３】
2005311779.tif 000005
【図４】
2005311779.tif 000006
【図５】
2005311779.tif 000007
【図６】
2005311779.tif 000008
【図７】
2005311779.tif 000009
【図８】
2005311779.tif 000010
【図９】
2005311779.tif 000011
【図１０】
2005311779.tif 000012
【図１１】
2005311779.tif 000013
【図１２】
2005311779.tif 000014
【図１３】
2005311779.tif 000015